(57)【特許請求の範囲】
【請求項１】
使い捨て紙おむつと、この使い捨て紙おむつの使用面側に装着されるインナーパッドとからなる吸収性物品において、
前記使い捨て紙おむつは、透液性トップシートと不透液性バックシートとの間に吸収体が介在されるとともに、前記インナーパッドを装着するための装着位置決め用目印が設けられ、
前記インナーパッドは、透液性トップシートと不透液性バックシートとの間に吸収体が介在されるとともに、前記使い捨て紙おむつの装着位置決め用目印に対応する位置合わせ用目印が設けられていることを特徴とする吸収性物品。
【請求項２】
前記使い捨て紙おむつの装着位置決め用目印は、前記インナーパッドの前記使い捨て紙おむつ上における長手方向の位置決めを成す長手方向位置決め用目印および／または前記使い捨て紙おむつ上における幅方向の位置決めを成す幅方向位置決め用目印を有し、
かつ前記インナーパッドの位置合わせ用目印は、前記使い捨て紙おむつの長手方向位置決め用目印および／または幅方向位置決め用目印にそれぞれ対応する、長手方向位置合わせ用目印および／または幅方向位置合わせ用目印を有する請求項１記載の吸収性物品。
【請求項３】
前記使い捨て紙おむつの長手方向位置決め用目印は、おむつ長手方向に所定間隔で描かれた１または複数の装着位置目印、おむつ両側部に設けられた装着位置目印およびおむつ両側縁部に外形状によって表された突部／切欠きの内のいずれかであり、
前記インナーパッドの長手方向位置合わせ用目印は、おむつ両側部に設けられた装着位置目印およびおむつ両側縁部に外形状によって表された突部／切欠きのいずれかである請求項２記載の吸収性物品。
【請求項４】
前記使い捨て紙おむつおよびインナーパッドの幅方向位置決め用目印は、おむつ長手方向前後端部において幅方向中央に設けられた装着位置目印およびおむつ前後端縁部の幅方向中央に外形状によって表された突部／切欠きのいずれかである請求項２記載の吸収性物品。
【請求項５】
前記使い捨て紙おむつおよびインナーパッドの両側縁部または前後端縁部に外形状によって表された突部／切欠きを除き、装着位置決め用目印および装着位置合わせ用目印は、おむつおよびインナーパッドへの線、文字、数字、記号、模様等のいずれかによる印刷、または別個のシート状、ストラップ状若しくは糸状の色付き素材の貼り合わせによる請求項１〜４いずれかに記載の吸収性物品。
【請求項６】
使い捨て紙おむつと、この使い捨て紙おむつの使用面側に装着されるインナーパッドとからなる吸収性物品において、
前記使い捨て紙おむつは、透液性トップシートと不透液性バックシートとの間に吸収体が介在されるとともに、前記インナーパッドを装着するためインナーパッドと略同大の枠線よりなる装着位置決め用目印が設けられていることを特徴とする吸収性物品。
【発明の詳細な説明】
【０００１】
【発明の属する技術分野】
本発明は、尿取りパッド、失禁パッド等のインナーパッドを使い捨て紙おむつの適正な位置に迅速かつ確実に装着することを可能とした吸収性物品に関する。
【０００２】
【従来の技術】
近年、使い捨て紙おむつにおいては、頻繁に紙おむつを交換せずに済むようにするとともに、おむつの購入費用を削減するために、紙おむつと尿取りパッド・失禁パッド等のインナーパッドとを組み合わせて使用する方法が普及している。
【０００３】
【発明が解決しようとする課題】
しかしながら、前記使い捨て紙おむつとインナーパッドとを組み合わせて使用する場合、紙おむつの適正な位置にインナーパッドを迅速に装着することが困難で、インナーパッドの装着位置を合わすために多くの手間を要したり、位置ズレした状態で装着したため漏れが発生することがあるなどの問題があった。
【０００４】
そこで本発明の主たる課題は、インナーパッドを使い捨て紙おむつの適正な位置に迅速かつ確実に装着可能とし、交換時の手間を削減するとともに、尿、便等の漏れを確実に防止するようにした吸収性物品を提供することにある。
【０００５】
【課題を解決するための手段】
前記課題を解決するための請求項１に係る本発明として、使い捨て紙おむつと、この使い捨て紙おむつの使用面側に装着されるインナーパッドとからなる吸収性物品において、
前記使い捨て紙おむつは、透液性トップシートと不透液性バックシートとの間に吸収体が介在されるとともに、前記インナーパッドを装着するための装着位置決め用目印が設けられ、
前記インナーパッドは、透液性トップシートと不透液性バックシートとの間に吸収体が介在されるとともに、前記使い捨て紙おむつの装着位置決め用目印に対応する位置合わせ用目印が設けられていることを特徴とする吸収性物品が提供される。
【０００６】
請求項２記載の本発明として、前記使い捨て紙おむつの装着位置決め用目印は、前記インナーパッドの前記使い捨て紙おむつ上における長手方向の位置決めを成す長手方向位置決め用目印および／または前記使い捨て紙おむつ上における幅方向の位置決めを成す幅方向位置決め用目印を有し、
かつ前記インナーパッドの位置合わせ用目印は、前記使い捨て紙おむつの長手方向位置決め用目印および／または幅方向位置決め用目印にそれぞれ対応する、長手方向位置合わせ用目印および／または幅方向位置合わせ用目印を有する請求項１記載の吸収性物品が提供される。
【０００７】
請求項３記載の本発明として、前記使い捨て紙おむつの長手方向位置決め用目印は、おむつ長手方向に所定間隔で描かれた１または複数の装着位置目印、おむつ両側部に設けられた装着位置目印およびおむつ両側縁部に外形状によって表された突部／切欠きの内のいずれかであり、
前記インナーパッドの長手方向位置合わせ用目印は、おむつ両側部に設けられた装着位置目印およびおむつ両側縁部に外形状によって表された突部／切欠きのいずれかである請求項２記載の吸収性物品が提供される。
【０００８】
請求項４記載の本発明として、前記使い捨て紙おむつおよびインナーパッドの幅方向位置決め用目印は、おむつ長手方向前後端部において幅方向中央に設けられた装着位置目印およびおむつ前後端縁部の幅方向中央に外形状によって表された突部／切欠きのいずれかである請求項２記載の吸収性物品が提供される。
【０００９】
請求項５記載の本発明として、前記使い捨て紙おむつおよびインナーパッドの両側縁部または前後端縁部に外形状によって表された突部／切欠きを除き、装着位置決め用目印および装着位置合わせ用目印は、おむつおよびインナーパッドの構成要素への線、文字、数字、記号、模様等のいずれかによる印刷、または別個のシート状、ストラップ状若しくは糸状の色付き素材の貼り合わせによる請求項１〜４いずれかに記載の吸収性物品が提供される。
【００１０】
上記請求項１〜５記載の本発明においては、使い捨て紙おむつに装着位置決め用目印を設けるとともに、インナーパッドの前記装着位置決め用目印に対応する装着位置合わせ用目印を設けるようにしたため、これら目印を指標としながらインナーパッドを装着するようにすれば、インナーパッドを使い捨て紙おむつの適正な位置に迅速かつ確実に装着することが可能となる。
【００１１】
請求項６記載の本発明として、使い捨て紙おむつと、この使い捨て紙おむつの使用面側に装着されるインナーパッドとからなる吸収性物品において、
前記使い捨て紙おむつは、透液性トップシートと不透液性バックシートとの間に吸収体が介在されるとともに、前記インナーパッドを装着するためインナーパッドと略同大の枠線よりなる装着位置決め用目印が設けられていることを特徴とする吸収性物品が提供される。
【００１２】
上記請求項６記載の本発明においては、使い捨て紙おむつ側にインナーパッドと略同大の枠線よりなる装着位置決め用目印を設けるようにしたため、インナーパッドを使い捨て紙おむつの適正な位置に迅速かつ確実に装着することが可能となる。
【００１３】
【発明の実施の形態】
以下、本発明の実施の形態について図面を参照しながら詳述する。
【００１４】
〔第１形態例〕
図１は本発明に係る吸収性物品の(A)は使い捨て紙おむつの展開図、(B)はそのインナーパッドの展開図である。
【００１５】
同図に示されるように、本吸収性物品は、使い捨て紙おむつ１Ａ（以下、単に紙おむつという。）と、前記紙おむつ１Ａの使用面側に装着されるインナーパッド２Ａとからなるものである。
【００１６】
前記紙おむつ１Ａは、不織布などからなる透液性トップシート３と、ポリエチレン等からなる不透液性バックシート４の間に、綿状パルプなどの吸収体５を介在させた構造の紙おむつである。なお、本発明の対象となる紙おむつ型式は、テープ式紙おむつ、パンツ式紙おむつのいずれでも良く、かつ装着対象者も大人用、ベビー用のいずれでもよい。
【００１７】
以下、テープ式大人用紙おむつ１Ａの例について詳述すると、吸収体５は、図示例では略砂時計状として成形されたものが使用され、その幅寸法は股間部への当たりによって着用者にゴワ付き感を与えない寸法幅となっている。この吸収体５は、形状保持と透液性トップシート３を透過した体液の拡散性向上のためにクレープ紙（図示せず）によって囲繞されている。
【００１８】
前記吸収体５の表面側（肌当接面側）を覆う透液性トップシート３としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性トップシート３に多数の透孔を形成した場合には、尿などが速やかに吸収されるようになりドライタッチ性に優れたものとなる。
【００１９】
前記透液性トップシート３は、吸収体５の側縁より若干外方に延在し、この延在部分が不透液性バックシート４にホットメルト接着剤等により固着されている。
【００２０】
前記吸収体５の裏面側（非肌当接面側）を覆う不透液性バックシート４は、ポリエチレンまたはポリプロピレンなどのプラスチックシートなどが用いられるが、近年はムレ防止の点から透湿性を有するものが好適に用いられる。この遮水・透湿性シートは、たとえばポリエチレンやポリプロピレン等などのオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。前記不透液性バックシート４の前端部および後端部では、吸収体５の存在しないエンドフラップ部ＥＦが形成され、同様に両側部では吸収体５の存在しない幅方向に凹部状の窪みを有するサイドフラップ部ＳＦが形成されている。また、前側エンドフラップ部の両側部には、装着時に前後のエンドフラップ部を接着させるための面ファスナーテープ１１がそれぞれ２段配置で設けられている。前記不透液性バックシート４と吸収体５との間には、吸収体５の両側部近傍におむつ長手方向に沿って複数本の弾性伸縮部材７，７…が配設されている。この弾性伸縮部材７，７…は足回りの隙間を無くし漏れを無くすためのものである。
【００２１】
前記紙おむつの表面側両側部には、透液性トップシート３の側部を覆うとともに、不透液性バックシート４の側縁まで延在するギャザーシート６が配設され、このギャザーシート６の内方側シート部分により立体ギャザーＢＫが形成されている。すなわち、ギャザーシート６の内方側が二重に折り返され、この折返し部分に弾性伸縮部材８が配設され、内方側シート部分が前記弾性伸縮部材８の伸縮力を利用して表面側に起立するようになっている。
【００２２】
一方、図１(B)に示されるインナーパッド２Ａも同様に、不織布などからなる透液性トップシート１２と、ポリエチレン等からなる不透液性バックシート１３との間に、綿状パルプなどの吸収体１４（クレープ紙含む。）を介在させた構造を成し、全体としては方形を成している。表面側両側部にはサイド不織布１５および弾性伸縮部材１６によって立体ギャザーＢＫが形成されている。また、前記不透液性バックシート１３の外面側には、本インナーパッド２Ａを前記紙おむつ１Ａの表面側に装着（接着）するために、粘着剤、面ファスナーなどの接合手段１７が設けられている。
【００２３】
以上、紙おむつ１Ａとインナーパッド２Ａとについて詳述したが、本発明では前記紙おむつ１Ａに前記インナーパッド２Ａを迅速かつ確実に装着可能するため、装着位置決め用目印９ａ〜９ｅ、１０ａ、１０ｂが設けられるとともに、前記インナーパッド２Ａに前記装着位置決め用目印１０ａ、１０ｂに対応する位置合わせ用目印１８ａ、１８ｂが設けられている。
【００２４】
先ず、紙おむつ１Ａ側に設けられた装着位置決め用目印９ａ〜９ｅ、すなわち紙おむつの表面側であってかつ背側寄り位置に、おむつ長手方向に所定間隔で描かれた１または複数の装着位置目印（横ライン）は、前記インナーパッド２Ａの紙おむつ１Ａ上における長手方向の位置決めを成す長手方向位置決め用目印となるものであり、前後端部の中央位置に縦ラインとして表現された前記装着位置決め用目印１０ａ、１０ｂは、紙おむつ１Ａ上における幅方向の位置決めを成す幅方向位置決め用目印となるものである。これらの目印は、紙おむつの表面側から視認できれば、紙おむつ１Ａの構成要素となる不透液性バックシート４，透液性トップシート３、クレープ紙およびギャザーシート６のいずれかへの印刷であってもよいし、これら複数の構成要素への印刷によって描かれていてもよい。前記印刷は、例えばグラビア印刷、フレキソ印刷またはインクジェットなどにより行うことができる。また、印刷用インクには肌への刺激を緩和するため抗菌剤や抗菌症剤などを添加することもできる。
【００２５】
また、前記装着位置決め用目印９ａ〜９ｅ、１０ａ、１０ｂは、図示されるように線による印刷が最も簡易で望ましいが、別個のシート状、ストラップ状若しくは糸状の色付き素材を貼り合わせることによっても設けることができるし、場合によってはカラーホットメルトによって形成することもできる。また、線以外に文字、数字、記号、模様のいずれかによる印刷とすることもできる。たとえば、数字や文字による場合には、前記装着位置決め用目印９ａ〜９ｅに代えて、１，２，３または大、中、小のように表示してもよい。
【００２６】
一方、インナーパッド２Ａに設けられた位置合わせ用目印１８ａ、１８ｂは紙おむつ１Ａ上における幅方向の位置合わせを成すもので、図示例では前後端部の中央位置に縦ラインとして描かれている。この位置合わせ用目印１８ａ、１８ｂも同様に、表面側から視認できるものであれば、インナーパッド２Ａの構成要素となる不透液性バックシート１３，透液性トップシート１２、クレープ紙のいずれかへの印刷やこれら複数の構成への印刷によって描かれておればよく、図示されるように線による表示以外に、文字、数字、記号、模様等、或いは別個のシート状、ストラップ状若しくは糸状の色付き素材の貼り合わせによることができる。なお、本インナーパッド２Ａでは長手方向位置合わせ用目印が特に描かれていないが、上部側端縁２ａが長手方向位置合わせ用目印となる。
【００２７】
前記インナーパッド２Ａを紙おむつ１Ａへ装着するに際しては、インナーパッド２Ａの種類やサイズ等に合わせて、或いは装着位置決め用目印９ａ〜９ｅの内、常用している線位置に合わせてインナーパッド２Ａの上部側端縁２ａを合わせるようにするとともに、インナーパッド２Ａの位置合わせ用目印１８ａ、１８ｂを紙おむつ１Ａの位置決め用目印１０ａ、１０ｂに合わせるようにしながら装着する。
【００２８】
なお、前記紙おむつ１Ａにおける装着位置決め用目印９ａ〜９ｅ、１０ａ、１０ｂおよびインナーパッド２Ａにおける位置合わせ用目印１８ａ、１８ｂは、一部分に描かれているが、紙おむつ１Ａ、インナーパッド２Ａを横断または縦断するように連続的に設けるようにしてもよい。
【００２９】
〔第２形態例〕
図２に示される第２形態例に係る吸収性物品は、紙おむつ１Ｂおよびインナーパッド２Ｂのそれぞれに長手方向位置決め用目印のみを設けた例である。
【００３０】
図示されるように、前記紙おむつ１Ｂに前記インナーパッド２Ｂを装着するための長手方向位置決め用目印１９ａ、１９ｂ、９ｆを設けるとともに、前記インナーパッド２Ｂに前記長手方向位置決め用目印１９ａ、１９ｂに対応する位置合わせ用目印２０ａ、２０ｂが設けられている。なお、前記長手方向位置決め用目印９ｆは補助的に設けたインナーパッド２Ｂの上端側端縁位置を示す位置決め用目印である。また、前記位置合わせ用目印２０ａ、２０ｂは、長手方向位置決め用目印１９ａ、１９ｂに対応し、装着状態で適正な位置に配置される関係にあれば、長手方向の中央ではなく、所定距離ａの位置に表示してよい。
【００３１】
前記インナーパッド２Ｂを紙おむつ１Ｂへ装着するに際しては、インナーパッド２Ｂの長手方向位置合わせ用目印２０ａ、２０ｂを紙おむつ１Ｂの位置決め用目印１９ａ、１９ｂに合わせるとともに、インナーパッド２Ｂの上部側端縁２ａを紙おむつ１Ｂの長手方向位置決め用補助目印９ｆに合わせるようにしながら装着する。なお、本例では長手方向の位置決めを成す目印のみを設けるようにしたが、幅方向の位置決めを成す目印のみを設けるようにしてもよい。
【００３２】
〔第３形態例〕
図３に示される第３形態例に係る吸収性物品は、紙おむつ側の長手方向位置決め用目印として、サイドフラップＳＦの側縁部分に切欠きを設けた例である。
【００３３】
図示されるように、紙おむつ１Ｃのサイドフラップ部ＳＦの側縁部分に略Ｖ字状の切欠き２１ａ、２１ｂを形成することにより長手方向位置決め用目印とし、幅方向位置決め用目印は、第１形態例と同様に、前後端部の中央位置に縦ラインとして表現された前記幅方向位置決め用目印１０ａ、１０ｂが設けられている。
【００３４】
一方、インナーパッド２Ｃには、両側部の中間位置に前記切欠きによる長手方向位置決め用目印２１ａ、２１ｂに対応する位置合わせ用目印２２ａ、２２ｂが設けられているとともに、前後端部中央位置に前記幅方向位置決め用目印１０ａ、１０ｂに対応する幅方向位置合わせ用目印２３ａ、２３ｂが設けられている。
【００３５】
前記インナーパッド２Ｃを紙おむつ１Ｃへ装着するに際しては、インナーパッド２Ｃの長手方向位置合わせ用目印２２ａ、２２ｂを紙おむつ１Ｃの長手方向位置決め用目印（切欠き）２１ａ、２１ａに合わせるとともに、インナーパッド２Ｃの幅方向位置合わせ用目印２３ａ、２３ｂを紙おむつ２Ｃの幅方向位置決め用目印１０ａ、１０ｂに合わせるようにしながら装着する。
【００３６】
〔第４形態例〕
第４形態例に係る吸収性物品は、図４に示されるように、紙おむつ１Ｄのサイドフラップ部ＳＦの側縁部分に略Ｖ字状の切欠き２１ａ、２１ｂを形成するとともに、この切欠き２１ａ、２１ｂの中央Ｖ字点から内方側に延びる横ライン２４ａ、２４ｂを設け、これら切欠き２１ａ、２１ｂと横ライン２４ａ、２４ｂを長手方向位置決め用目印とし、かつ前後端縁の中央に外方に突出する突部２５ａ、２５ｂを形成し、幅方向位置決め用目印としている。
【００３７】
一方、インナーパッド２Ｄには、両側部の中間位置に前記切欠き及び横ラインによる長手方向位置決め用目印２１ａ、２１ｂ、２４ａ、２４ｂに対応する位置合わせ用目印２２ａ、２２ｂが設けられているとともに、前後端縁の中央位置に外方に突出する突部２６ａ、２６ｂを形成し、前記幅方向位置決め用目印２５ａ、２５ｂ（突部）に対応する幅方向位置合わせ用目印（突部）２６ａ、２６ｂとしている。
【００３８】
前記インナーパッド２Ｄを紙おむつ１Ｄへ装着するに際しては、インナーパッド２Ｄの長手方向位置合わせ用目印２２ａ、２２ｂを紙おむつ１Ｄの長手方向位置決め用目印２１ａ、２１ｂに、２４ａ、２４ｂに合わせるとともに、インナーパッド２Ｄの幅方向位置合わせ用目印（突部）２６ａ、２６ｂを紙おむつ２Ｄの幅方向位置決め用目印（突部）２５ａ、２５ｂに合わせるようにしながら装着する。
【００３９】
〔第５形態例〕
第５形態例に係る吸収性物品は、図５に示されるように、紙おむつ１Ｅ側にインナーパッド２Ｅと略同大の枠線２７を描き、装着位置決め用目印としたものである。前記枠線２７は、図示されるように、連続線として描くのが望ましいが、波線若しくはコーナー部のみというように部分的に描くようにしてもよい。
【００４０】
インナーパッド２Ｅを装着するに際しては、インナーパッド２Ｅの外形線を紙おむつ１Ｅに描かれた枠線２７に合わせるようにしながら装着する。
【００４１】
【発明の効果】
以上詳説のとおり本発明によれば、例えば紙おむつに装着位置決め用目印を設け、インナーパッドに装着位置合わせ用目印を設けるようにしたので、インナーパッドを使い捨て紙おむつの適正な位置に迅速かつ確実に装着可能となる。その結果、交換時の手間を削減できるようになるとともに、尿、便等の漏れを確実に防止することができるようになる。
【図面の簡単な説明】
【図１】本第１形態例に係る吸収性物品を示す、(A)は紙おむつ１Ａ、(B)はインナーパッド２Ａの展開図である。
【図２】本第２形態例に係る吸収性物品を示す、(A)は紙おむつ１Ｂ、(B)はインナーパッド２Ｂの展開図である。
【図３】本第３形態例に係る吸収性物品を示す、(A)は紙おむつ１Ｃ、(B)はインナーパッド２Ｃの展開図である。
【図４】本第４形態例に係る吸収性物品を示す、(A)は紙おむつ１Ｄ、(B)はインナーパッド２Ｄの展開図である。
【図５】本第５形態例に係る吸収性物品を示す、(A)は紙おむつ１Ｅ、(B)はインナーパッド２Ｅの展開図である。
【符号の説明】
１Ａ〜１Ｅ……紙おむつ、２Ａ〜２Ｅ…インナーパッド、３・１２…透液性トップシート、４・１３…不透液性バックシート、５・１４…吸収体、６…ギャザーシート、９ａ〜９ｆ・１９ａ・１９ｂ・２１ａ・２１ｂ・２４ａ・２４ｂ…長手方向位置決め用目印、１０ａ・１０ｂ・２５ａ・２５ｂ…幅方向位置決め用目印、２２ａ・２２ｂ…長手方向位置合わせ用目印、１８ａ・１８ｂ・２３ａ・２３ｂ・２６ａ・２６ｂ…幅方向位置合わせ用目印、２７…枠線
【図１】
0003667267.tif 000002
【図２】
0003667267.tif 000003
【図３】
0003667267.tif 000004
【図４】
0003667267.tif 000005
【図５】
0003667267.tif 000006